(57)【要約】　　　（修正有）【課題】運搬用容器の容器本体や蓋体が外力で変形するのを防止し、耐久性とスタッキングした際、下段の容器本体と蓋体との間のシールパッキンが必要以上に変形するのを防ぎ、シール性を確保する。ネスティングした際に、容器本体同士が密着するのを防ぐ。【解決手段】容器本体２と蓋体３とを金属または合成樹脂で形成し、容器本体２を下窄まりに形成する。容器本体２の上部外側にガード２ｅにリム２ｆを上部開口縁２ｄの外側に設ける。リム２ｆにて、容器本体２に被着した蓋体３の取り付け状態を外力から保護する。リム２ｆに複数のストッパ２ｇを設ける。運搬用容器１をスタッキングした際に、蓋体３の下縁３ｂをストッパ２ｇに当接させる。固定ブラケット７に保持手段９を設け、複数の容器本体２をネスティングした際に、下段の容器本体２の上部開口縁２ｄを保持手段９の上壁に当接させ、上下の容器本体２，２同士の嵌め込み深さを浅く規制する。【選択図】　図１
2004018048.tif 000002
【特許請求の範囲】
【請求項１】
対向する一対の側壁と、これに直交して対向する一対の側壁とを底壁側へ向けてテーパ状に絞った容器本体と、該容器本体の上部開口縁にシールパッキンを介して液密に被着される蓋体とを金属や合成樹脂で形成したネスティングとスタッキングとが可能な運搬用容器であって、前記容器本体の上部開口縁の外側に、該上部開口縁を被う前記蓋体を離間して囲うリムを付設したことを特徴とする運搬用容器。
【請求項２】
前記容器本体に、前記上部開口縁に被着された蓋体の沈み込み量を規制するストッパを設けたことを特徴とする請求項１に記載の運搬用容器。
【請求項３】
前記容器本体に、ネスティング時の容器本体同士を離間して収容する保持手段を設けたことを特徴とする請求項１〜３のいずれかに記載の運搬用容器。
【請求項４】
前記側壁のいずれかに、取っ手と蓋体ロック手段のいずれか一方または双方を設け、該取っ手及び／または蓋体ロック手段を、前記いずれかの側壁に付設された前記リムよりも容器本体内側に配設したことを特徴とする請求項１または２に記載の運搬用容器。
【発明の詳細な説明】
【０００１】
【発明の属する技術分野】
本発明は、容器本体同士を入れ子式に収容するいわゆるネスティングと、容器本体にシールパッキンを介して液密及び気密に被着される蓋体の上部に容器本体を積み重ねするいわゆるスタッキングとが可能な運搬用容器に関する。
【０００２】
【従来の技術】
現在、火薬類取締法における火工品は、容器本体と蓋体とをともに木材で形成した運搬用容器に収納した状態で、倉庫での保管や使用場所への運搬に供されている。
【０００３】
【発明が解決しようとする課題】
このような火工品の運搬用容器は、材料である木材が比較的安価で、かつ木材の持つクッション性を適度に生かせる反面、これを回収してリサイクルするには回収費や運搬費が嵩むことから、火工品を取り出した段階で容器としての使命を終えるワンウェイ品であった。さらに、このような使用は、森林伐採による自然環境の破壊につながり、また焼却場以外での安易な焼却処理も地域環境を悪化させる虞があることから、可燃廃棄物として焼却場に廃棄するか、野積みして自然に腐敗させる等の経費や時間のかかる処理を余儀なくされていた。
【０００４】
さらに、木製の火工品運搬用容器は耐水機能を持たないために、多湿場所での保管や、屋外に持ち出して使用した場合に、運搬用容器自体はもとより内部の火工品に錆を生じたり、ぬかるみの泥土が侵入して火工品を汚損するという不具合を招く。また、空箱の状態では、スタッキングは可能であるがネスティングによる減容ができず、多大な保管スペースを要するものとなっていた。
【０００５】
この対策として、容器本体と蓋体とを金属や合成樹脂で形成して、これらの間をシール材で防水・防塵する方法が考えられるが、この場合には、運搬用容器を落下するなどして過大な衝撃力が加わった場合に、容器本体や蓋体に変形を与えてシール性を損なう虞がある。
【０００６】
また、容器本体の側壁を底壁側へ向けてテーパ状に絞った下窄まりの形状とすることによってネスティングが可能となるが、この場合には、内外に容器本体同士が貼り付くように密着して分解作業を困難にする虞がある。さらに、運搬用容器をスタッキングした場合には、下段の運搬用容器のシールパッキンに多大な重量がかかることとなる。例えば、火工品を収容した運搬用容器を凡そ４ｍの高さまでスタッキングした場合に、運搬用容器１個の重さを５０ｋｇとすると、最下段の運搬用容器には凡そ１ｔもの重量が加わることとなり、シールパッキンの損傷は免れない。
【０００７】
本発明は、かかる実情を背景にしてなされたもので、その目的とするところは、容器本体と蓋体とを金属や合成樹脂等の耐久性材料で形成しながらも、耐久性材料を用いたことによる上述の不具合を解消することのできる運搬用容器を提供することにある。
【０００８】
【課題を解決するための手段】
上述の目的を達成するため、本発明の運搬用容器は、相対向する４つの側壁を底壁側へ向けてテーパ状に絞った容器本体と、該容器本体の上部開口縁にシールパッキンを介して液密に被着される蓋体とを金属や合成樹脂で形成したネスティングとスタッキングとが可能な運搬用容器であって、前記容器本体の上部開口縁の外側に、該上部開口縁を被う前記蓋体を離間して囲うリムを付設したことを特徴としている。上記リムは、容器本体の上部開口縁の外側を全周に連続または断続して囲い、容器本体の上部周辺を補強するとともに、上部開口縁に被着した蓋体を外力からガードして、運搬用容器のシール性を良好に保持する。
【０００９】
容器本体には、上部開口縁に被着された蓋体の沈み込み量を規制するストッパを設けることができる。このストッパは、容器本体をスタッキングした際に、上段の容器本体の荷重を支承し、下段のシールパッキンが過大な荷重によって傷んだり永久変形するのを防止するので、下段の運搬用容器のシール性能が良好に保たれる。容器本体には、ネスティングした際の容器本体同士を離間して収容する保持手段を設けることができる。したがって、ネスティングした容器本体同士が貼り付かないので、分解を簡便に行うことができる。
【００１０】
容器本体の側壁のいずれかに、取っ手と蓋体ロック手段のいずれか一方または双方を設け、該取っ手及び／または蓋体ロック手段を、前記いずれかの側壁に付設された前記リムよりも容器本体内側に配設することもできる。これにより、運搬用容器同士を横方向へ並べた際に、取っ手や蓋体ロック手段が運搬用容器の外側へ突出しないので、運搬用容器を横方向に密着させて、少スペースに多数の運搬用容器を効率よく横並びさせることができる。
【００１１】
【発明の実施の形態】
以下本発明を、火薬類取締法における火工品の収納に好適な運搬用容器に適用した形態例を図面に基づいて説明する。
図中、図１〜図１０は第１形態例を示し、図１は運搬用容器の分解斜視図、図２は運搬用容器の斜視図、図３は運搬用容器の一部平面図、図４は運搬用容器の要部断面側面図、図５は運搬用容器のスタッキング状態を示す斜視図、図６は図５の要部断面側面図、図７は運搬用容器のネスティング状態を示す斜視図、図８は図７の要部側面図、図９は図８のＩＸ−ＩＸ断面図、図１０は運搬用容器を横並びした状態を示す平面図である。
【００１２】
第１形態例の運搬用容器１は、容器本体２と蓋体３とを、鋼板やステンレス鋼，ジュラルミンやアルミニューム合金等の金属材で形成し、容器本体２に取っ手環４，４と蓋体ロック手段５，５とを設けるとともに、容器本体２に被着される蓋体３をシールパッキン６にて液密にシールするようにしている。
【００１３】
容器本体２は、対向する一対の長側壁２ａ，２ａと、これに直交して対向する一対の短側壁２ｂ，２ｂとを、底壁２ｃ方向へテーパ状に絞った下窄まりの箱状に形成されており、取っ手環４，４と蓋体ロック手段５，５は、短側壁２ｂ，２ｂの上部外面中央に固定ブラケット７，７を用いて固着されている。
【００１４】
蓋体３の外周縁３ａは断面略半円形に形成され、該外周縁３ａの内部に前述のシールパッキン６が嵌着されており、蓋体３を容器本体２に被着した際には、容器本体２の上部開口縁２ｄの全周にシールパッキン６が密着し、この密着状態を蓋体ロック手段５，５で保持するようにしている。
【００１５】
容器本体２の上部外側には、ガード２ｅが短側壁２ｂ，２ｂ中央の凹部８を除いて付設されており、該ガード２ｅの鉛直方向のリム２ｆを上部開口縁２ｄの外側に配設するとともに、凹部８に取っ手環４，４と蓋体ロック手段５，５を配設している。
【００１６】
リム２ｆは、容器本体２に被着された蓋体３の取り付け状態を外力から保護するために、蓋体３の外側を囲いながら、かつ蓋体３よりも上方へ突出しており、さらに長側壁２ａ，２ａの外側部分全体と短側壁２ｂ，２ｂの外側部分中央部側端で、上部開口縁２ｄとの間隔を幅狭とすることにより、容器本体２に被着された蓋体３の左右前後方向の遊び量を規制し、外周縁３ａのシールパッキン６の略中央が上部開口縁２ｄへ確実に位置するようにしている。
【００１７】
各リム２ｆの長側壁外側部分では、それぞれ３箇所にスリットを切り込み、この切り込み部分を容器本体２の内側へ絞って、側面視略Ｌ字状で平面視コ字状のストッパ２ｇを形成している。ストッパ２ｇの上縁２ｈは、蓋体ロック手段５，５を用いて容器本体２に固定された蓋体３の外周縁３ａの下縁３ｂよりもやや下側に所定の間隔Ｃをおいて位置しており（図４）、複数の運搬用容器１をスタッキングして下段の蓋体３に多大な荷重が作用した際に（図５）、蓋体３の外周縁３ａの下縁３ｂをストッパ２ｇの上縁２ｈに当接させて、蓋体３の沈み込み量を規制する（図６）。これにより、下段運搬用容器のシールパッキン６に上段運搬用容器からの過大な荷重がかからないようになる。
【００１８】
前記固定ブラケット７は、蓋体ロック手段５を挟んで二股状に分岐する下側部分を断面Ｌ字状に形成して、下端と両側縁とを解放させており、このブラケット下側部分を本形態例における保持手段９としている（図８，図９）。この保持手段９は、複数の容器本体２をネスティングした際に（図７〜図９）、下段の容器本体２の上部開口縁２ｄを収容して、該上部開口縁２ｄを保持手段９の上壁に当接させることにより（図８，図９）、上下の容器本体２，２の嵌め込み深さを浅く規制し、内外に位置する側壁を離間して収容するようにしている（図９）。
【００１９】
前記蓋体ロック手段５は、先端を蓋体３の外周縁３ａと同じ略半円弧状に折曲した掛止め部５ａと、該掛止め部５ａに支軸を用いて回動可能に連結される操作レバー５ｂとを備えており、操作レバー５ｂを回動操作することによって、掛止め部５ａを蓋体３の外周縁３ａに係脱するようになっている。また、取っ手環４と蓋体ロック手段５とは、いずれもリム２ｆの短側壁外側部分よりも内側である凹部８の内部に位置するように設れられており、複数の運搬用容器１を横並びにした際に、取っ手環４と蓋体ロック手段５とが運搬用容器１の外側へ突出しないようになっている。
【００２０】
以上のように、本形態例の運搬用容器１は、容器本体２と蓋体３とを金属材で形成し、これらの間をシールパッキン６で液密にシールするので、通い箱として繰り返して使用することが可能となる。また、耐候性，防錆性，防水・防塵性が格段に向上するので、保管場所や使用場所の条件や天候にかかわらず用いることができる。さらに、木材の場合のような森林伐採による自然環境の破壊や焼却等による廃棄問題がなくなる。また、容器本体２に金属材を採用したことにより、容器本体２を下窄まりに形成して、複数の容器本体２をネスティングして減容を図ることが可能となり、保管スペースも少なくて済む。
【００２１】
さらに本形態例は、容器本体２に被着した蓋体３の周囲をリム２ｆが囲うので、蓋体３を着脱する際には、リム２ｆが蓋体３のガタ付きを小さく抑えて、蓋体３の着脱作業を容易に行うことができるようになる。ガード２ｅは、容器本体２の上部周辺の強度を高めるほか、運搬用容器１を落下するなどして、容器本体２や蓋体３に不慮の外力がかかった場合に、リム２ｆが容器本体２の上部周辺や蓋体３の変形を防止するので、蓋体３の被着状態を良好に保つことができ、シール性も損なわずに済む。
【００２２】
また、容器本体２の上部にストッパ２ｇを設けて、運搬用容器１をスタッキングした際の蓋体３の沈み込み量を規制するようにしたから、下段運搬用容器のシールパッキン６に上段運搬用容器からの過大な荷重がかからず、防水・防塵機能を長期間良好に保つことができる。しかも本形態例は、固定ブラケット７に保持手段９を設けて、複数の容器本体２をネスティングした際に、容器本体２同士の嵌め込み深さを浅く規制して、内外の側壁が貼り付くような密着はしないようにしたから、個々の容器本体２を短時間で簡便に分離することができる。
【００２３】
さらに、取っ手環４と蓋体ロック手段５とを凹部８内に配設して、これらが容器本体２の外側へ突出しないようにしたから、運搬用容器１，１同士を横方向に密着させて、小さいスペースに多数の運搬用容器１を効率よく横並びさせることができる。
【００２４】
次に、本発明の第２形態例を図１１及び図１２に基づいて説明する。図中、図１１は運搬用容器のネスティング状態を示す斜視図、図１２は図１１の要部断面側面図である。
【００２５】
本形態例の運搬用容器２０は、容器本体２の上部に付設されるガード２ｅをクランク形に折曲して、該ガード２ｅの水平方向の段部を保持手段２１となすとともに、上部開口縁２ｄの外側を囲うリム２ｆを第１形態例のものよりも鉛直方向に延長しており、その他の容器本体２の４つの側壁２ａ，２ａ，２ｂ，２ｂの傾斜形状等は、第１形態例と同様に構成されている。
【００２６】
保持手段２１は、下窄まりに傾斜する容器本体２の側壁２ａ，２ａ，２ｂ，２ｂと、鉛直方向に大きく長さをとったリム２ｆとの組み合わせにより、複数の容器本体２をネスティングした際に、下段容器本体２のリム２ｆの上部開口縁２ｉを保持手段２１に当接させることによって（図１１，１２）、上下の容器本体２，２同士の嵌め込み深さを浅く規制し、内外に位置する側壁を離間して収容するようにしている（図１２）。
【００２７】
これにより、内外の容器本体２，２が貼り付くのを防止して、個々の容器本体２を簡便に分離することができるほか、本形態例においても、上記した第１形態例と同様の効果を奏することができる。
【００２８】
なお本発明は、運搬用容器を合成樹脂で形成した場合にも、金属の場合と略同様の効果が期待できる。またリムは、容器本体の上部全周を連続して囲うようにしてもよく、あるいは複数個を断続して設けても差し支えない。蓋体の沈み込み量を規制するストッパや、ネスティング時の貼り付きを防止する保持手段，蓋体ロック手段，取っ手は、上述の形態例とは別の形状や位置，個数とすることができる。
【００２９】
また、上述の形態例では、取っ手と蓋体ロック手段をそれぞれ２つ１組として、これら双方を容器本体の対向する一対の側壁に設けて説明したが、取っ手と蓋体ロック手段のいずれか一方の２つ１組を一方の対向する側壁に設け、他方の２つ１組を他方の対向する側壁に設けることもできる。さらに本発明は、取っ手及び／または蓋体ロック手段を、容器本体の１つの側壁に対して１つまたは複数個ずつ設けることができ、また取っ手や蓋体ロック手段を取り付ける容器本体の側壁も１〜４つの範囲で適宜自由である。シールパッキンは、容器本体の上部開口縁に設けてもよい。さらに、本発明の運搬用容器は、火工品以外のものも収納できることはもちろんである。
【００３０】
【発明の効果】
以上説明したように、本発明の運搬用容器によれば、耐久性の高い通い箱として長期間繰り返して使用することが可能となる。さらに、耐候性，防錆性，防水・防塵性が格段に向上するので、保管や使用する場所の条件や天候にかかわらず用いることができる。また、木材を使用した場合のように森林伐採による自然環境の破壊や焼却等による廃棄処理問題がなくなる。さらに、運搬用容器を落下するなどして容器本体やこれに被着した蓋体に不慮の外力がかかることがあっても、容器本体の上部外側に設けたリムが容器本体と蓋体の変形を有効に防止して、蓋体の被着状態を良好に保つことができ、シール性も損なわずに済む。
【００３１】
また、運搬用容器をスタッキングした際に、上部からの荷重によって蓋体が沈み込むのを容器本体のストッパで規制するようにしたから、シールパッキンの損耗を防止して、防水・防塵機能を長期間良好に保つことができる。さらに、複数の容器本体をネスティングした際には、保持手段が容器本体の嵌め込み深さを浅く規制して、容器本体同士が貼り付くような密着はしないようにしたから、ネスティングした容器本体を短時間で簡便に分離することができる。さらに、蓋体ロック手段や取っ手環を容器本体の外側へ突出しないようにしたから、運搬用容器同士を横並びに密着させて、小さいスペースに多数の運搬用容器を効率よく横並びさせることができるようになる。
【図面の簡単な説明】
【図１】本発明の第１形態例を示す運搬用容器の分解斜視図
【図２】本発明の第１形態例を示す運搬用容器の斜視図
【図３】本発明の第１形態例を示す運搬用容器の一部平面図
【図４】本発明の第１形態例を示す運搬用容器の要部断面側面図
【図５】本発明の第１形態例を示す運搬用容器のスタッキング状態の斜視図
【図６】本発明の第１形態例を示す図５の要部断面側面図
【図７】本発明の第１形態例を示す運搬用容器のネスティング状態の斜視図
【図８】本発明の第１形態例を示す図７の要部側面図
【図９】本発明の第１形態例を示す図８のＩＸ−ＩＸ断面図
【図１０】本発明の第１形態例を示す運搬用容器を横並びした状態の平面図
【図１１】本発明の第２形態例を示す運搬用容器のネスティング状態の斜視図
【図１２】本発明の第２形態例を示す図１１の要部断面側面図
【符号の説明】
１，２０…運搬用容器、２…容器本体、２ａ…長側壁、２ｂ…短側壁、２ｃ…底壁、２ｄ，２ｉ…上部開口縁、２ｅ…ガード、２ｆ…リム、２ｇ…ストッパ、２ｈ…ストッパ２ｇの上縁、３…蓋体、３ａ…外周縁、３ｂ…下縁、４…取っ手環、５…蓋体ロック手段、６…シールパッキン、７…固定ブラケット、８…凹部、９，２１…保持手段
【図１】
2004018048.tif 000003
【図２】
2004018048.tif 000004
【図３】
2004018048.tif 000005
【図４】
2004018048.tif 000006
【図５】
2004018048.tif 000007
【図６】
2004018048.tif 000008
【図７】
2004018048.tif 000009
【図８】
2004018048.tif 000010
【図９】
2004018048.tif 000011
【図１０】
2004018048.tif 000012
【図１１】
2004018048.tif 000013
【図１２】
2004018048.tif 000014